(57)【要約】【課題】携帯端末装置のＬＣＤの表示自体をオン／オフ制御するとともに、オン／オフ制御の動作閾値の設定を使用者により可能とし、使用可能期間の延長を可能とする。【解決手段】筺体のリア側の外周面等に照度センサー９を配置する。携帯電話機の閉状態で、制御部３の表示制御回路３１は、照度センサー部９で検出した照度に比例する電圧値と、記憶部５から読み出した閾値とを比較し、比較結果が照度センサー部９の出力電圧の方が前記閾値よりも大きければ（ｓ１２）、ＬＣＤ表示駆動部の電源をオンに制御し、ＬＣＤの表示をオンに制御し（ｓ１３）、逆に照度センサー部９の出力電圧の方が前記閾値よりも低ければ、ＬＣＤ表示駆動部の電源をオフに制御する（ｓ１４）。【選択図】　　　　図５
2004140472.tif 000002
【特許請求の範囲】
【請求項１】
操作部とＬＣＤとを備える単一筺体構成の携帯端末装置において、筺体の外表面に設けた照度センサーと、照度センサーの出力を入力し、該出力が予め設定した閾値以上の場合にＬＣＤの表示をオンに制御可能とし、該出力が前記所定の閾値未満の場合にＬＣＤの表示をオフに制御可能とする表示制御回路と、前記操作部からの操作により前記閾値を設定する閾値設定回路と、を有することを特徴とする携帯端末装置。
【請求項２】
操作部とＬＣＤとを備える折り畳み構造の携帯端末装置において、筺体の外表面に設けた照度センサーと、照度センサーの出力を入力し、該出力が所定の閾値以上の場合にＬＣＤの表示をオンに制御可能とし、該出力が予め設定した閾値未満の場合にＬＣＤの表示をオフに制御可能とする表示制御回路と、前記操作部からの操作により前記閾値を設定する閾値設定回路と、を有することを特徴とする携帯端末装置。
【請求項３】
前記照度センサーは、受話用のスピーカの近傍に設けたことを特徴とする請求項１又は２記載の携帯端末装置。
【請求項４】
筺体のリア側の表面に２次的なＬＣＤを備える折り畳み構造の携帯端末装置において、前記表面に設けた照度センサーと、照度センサーの出力を入力し、該出力が所定の閾値以上の場合にＬＣＤの表示をオンに制御可能とし、該出力が予め設定した閾値未満の場合にＬＣＤの表示をオフに制御可能とする表示制御回路と、操作部からの操作により前記閾値を設定する閾値設定回路と、を有することを特徴とする携帯端末装置。
【請求項５】
操作部と筺体のフロント側及びリア側にそれぞれ少なくとも第１及び第２のＬＣＤの表示部を備える折り畳み構造の携帯端末装置において、前記筺体のフロント側の表面に設けた第１の照度センサーと、前記筺体のリア側の表面に設けた第２の照度センサーと、前記第１及び第２の照度センサーの出力を入力し、各出力がそれぞれに予め設定した閾値以上の場合にＬＣＤの表示をオンに制御可能とし、該出力がそれぞれに予め設定した閾値未満の場合にＬＣＤの表示をオフに制御可能とする表示制御回路と、前記操作部からの操作により前記閾値をそれぞれ設定する閾値設定回路と、を有することを特徴とする携帯端末装置。
【請求項６】
前記筺体のリア側に設けたＬＣＤの表示のオン／オフの制御は、前記筺体の閉状態でのみ行われることを特徴とする請求項４又は５記載の携帯端末装置。
【請求項７】
前記ＬＣＤの表示のオン又はオフの切り換えに所定の時間遅れを与えるタイマ手段を設けたことを特徴とする請求項１ないし６の何れか１つの請求項記載の携帯端末装置。
【請求項８】
前記ＬＣＤはバックライトを備え、前記表示制御回路は、照度センサーの出力が予め設定した閾値未満の場合にバックライトをもオフに制御可能とすることを特徴とする請求項１ないし６の何れか１つの請求項記載の携帯端末装置。
【発明の詳細な説明】
【０００１】
【発明が属する技術分野】
本発明は、携帯電話機などの携帯端末装置の表示の制御に関し、特に、消費電力を抑制可能な携帯端末装置に関する。
【０００２】
【従来の技術】
携帯電話機など持ち歩く端末（携帯端末装置）においては、着信等の通信待機のため電源の投入状態としておく必要があることから常時バッテリーの電力が消費する。このため、従来より表示部には電力消費の少ない液晶表示装置ＬＣＤ（ｌｉｑｕｉｄ　ｃｒｙｓｔａｌ　ｄｉｓｐｌａｙ）を使用するとともに、ＬＣＤでも電力消費が大きいバックライトについて、自動的に、また、こまめに消灯するように構成されている。
【０００３】
このような携帯端末装置の省電力化技術としては、例えば、通話開始時及び着呼時の携帯電話機の周囲が暗いときにＬＥＤのバックライトの点灯を一定時間のみ点灯させることにより省電力化を図るもの（特許文献１参照）、使用環境の明るさを多段に判別し、ＬＣＤのバックライトの明るさについて、暗闇の使用環境では通常の明るさに、太陽光下においては消灯し、やや暗い場所では通常よりやや明るくし、室内等のやや明るい環境下では第断言の明るさに、それぞれ設定、制御することにより省電力化を図るもの（特許文献２参照）等がある。
【０００４】
また、携帯電話機の筺体の側壁に温度検出手段を設け、装置本体の表面温度の上昇を検出して携帯電話機のＬＣＤの表示の制御を行うように構成することにより、使用者が携帯端末装置本体を掴んだときにＬＣＤをオンに制御するようにしたものが知られている（特許文献３参照）。
【０００５】
【特許文献１】
特開平９−２７８４４号公報
【特許文献２】
特開２００２−１１１８６５号公報
【特許文献３】
特開２００１−２２３７９１号公報
【発明が解決しようとする課題】
携帯電話機の不使用時に、ＬＥＤのバックライトを点灯しておくことは消費電流が無駄であるから、通常バックライトを消灯することにより、消費電力を節約することが可能である。しかし、最近の携帯端末装置においては、表示部の大型化、高精細化が進んできており、電力消費も増大してきているので、使用可能時間を少しでも延長するように一層の省電力化が望まれる。
【０００６】
特許文献１、２記載の携帯端末装置の表示制御では、携帯電話機の周囲が暗いときに点灯させたり、暗闇の使用環境で通常の明るさにしたり、やや暗い場所で通常よりやや明るく表示させる等のように、暗い環境でより電力を消費するような制御を行うものであり、しかも、ＬＣＤの表示自体は継続し、ＬＣＤ表示に係る電力消費については充分考慮されていない。
【０００７】
この点、特許文献３記載の携帯電話機によれば、携帯電話機の着信、キー操作等によるＬＣＤのバックライトのオン／オフ制御を行うことに加え、本体を掴んでいるか否かを温度センサーにより人の体温を検出し、ＬＣＤの表示のオン／オフ制御を行うように構成しているから、バッグの中に入れている場合等に一層の省電力化が可能である。しかしながら、この携帯電話機の温度制御は、温度センサーを使用して人の掌の温度を検出するものであるから、掌の温度が低い場合や手袋の使用時等にはＬＣＤの表示はオン状態にならず、また、暖かい周囲環境やバック中の発熱等によりＬＣＤの表示がオン状態になる等の点で、ＬＣＤ表示の予定するオン／オフ制御を確実に行うことは困難である。
【０００８】
（目的）
本発明の目的は、携帯端末装置に備える液晶表示装置の表示自体をオン／オフ制御するとともに、オン／オフ制御の動作閾値の設定を使用者により可能とし、確実に不要な表示を停止し携帯端末装置の使用可能時間の延長を可能とすることにある。
【０００９】
【課題を解決するための手段】
本発明の携帯端末装置は、照度センサーにより明所／暗所を検出し、ＬＣＤの表示をオン／オフを制御するとともに、ＬＣＤのオン／オフ制御の境界線にあたるしきい値を使用者が設定できる機能を有し、使用環境に適合し且つ無駄な消費電流を削減可能な携帯端末装置を提供する。
【００１０】
本発明の携帯端末装置は、操作部とＬＣＤとを備える単一筺体構成の携帯端末装置において、筺体の外表面に設けた照度センサーと、照度センサーの出力を入力し、該出力が予め設定した閾値以上の場合にＬＣＤの表示をオンに制御可能とし、該出力が前記所定の閾値未満の場合にＬＣＤの表示をオフに制御可能とする表示制御回路と、前記操作部からの操作により前記閾値を設定する閾値設定回路と、を有することを特徴とする。また、操作部とＬＣＤとを備える折り畳み構造の携帯端末装置において、筺体の外表面に設けた照度センサーと、照度センサーの出力を入力し、該出力が所定の閾値以上の場合にＬＣＤの表示をオンに制御可能とし、該出力が予め設定した閾値未満の場合にＬＣＤの表示をオフに制御可能とする表示制御回路と、前記操作部からの操作により前記閾値を設定する閾値設定回路と、を有することを特徴とする。更に、前記照度センサーは、受話用のスピーカの近傍に設けたことを特徴とする。
【００１１】
本発明の筺体のリア側の表面に２次的なＬＣＤを備える折り畳み構造の携帯端末装置において、前記表面に設けた照度センサーと、照度センサーの出力を入力し、該出力が所定の閾値以上の場合にＬＣＤの表示をオンに制御可能とし、該出力が予め設定した閾値未満の場合にＬＣＤの表示をオフに制御可能とする表示制御回路と、操作部からの操作により前記閾値を設定する閾値設定回路と、を有することを特徴とする。また、操作部と筺体のフロント側及びリア側にそれぞれ少なくとも第１及び第２のＬＣＤの表示部を備える折り畳み構造の携帯端末装置において、前記筺体のフロント側の表面に設けた第１の照度センサーと、前記筺体のリア側の表面に設けた第２の照度センサーと、前記第１及び第２の照度センサーの出力を入力し、各出力がそれぞれに予め設定した閾値以上の場合にＬＣＤの表示をオンに制御可能とし、該出力がそれぞれに予め設定した閾値未満の場合にＬＣＤの表示をオフに制御可能とする表示制御回路と、前記操作部からの操作により前記閾値をそれぞれ設定する閾値設定回路と、を有することを特徴とする。
【００１２】
前記発明において、前記筺体のリア側に設けたＬＣＤの表示のオン／オフの制御は、前記筺体の閉状態でのみ行われること、を特徴とする。
また、前記各発明において、前記ＬＣＤの表示のオン又はオフの切り換えに所定の時間遅れを与えるタイマ手段を設けたことを特徴とし、前記ＬＣＤはバックライトを備え、前記表示制御回路は、照度センサーの出力が予め設定した閾値未満の場合にバックライトをもオフに制御可能とすることを特徴とする。
【００１３】
（作用）
本発明の携帯端末装置は、明るいところにある場合はＬＣＤがオン状態になり、暗いところに持っていくとオフ状態になる。照度センサーによる明暗検出を行い、暗状態であると判断された場合、前記表示をオフ状態とし、明状態であると判断された場合、前記表示をオン状態とする。明暗検出の閾値は使用者により設定可能とし、更に本体を折り畳む構造を持つ携帯端末装置を対象とし、その閉状態におい、以上の動作を行わせる。また、オン／オフ動作は一定時間の動作遅れを与える。
【００１４】
【発明の実施の形態】
本発明の携帯端末装置の一実施の形態について図面を参照して以下詳細に説明する。
（第１の実施の形態）
図１は、携帯電話機へ適用した本発明の第１の実施の形態の外観を示す図である。本実施の形態は、単一筺体の携帯電話機のフロント側にキー入力部等からなる操作部、液晶表示装置、マイク、スピーカを備える携帯電話機において、スピーカの周囲等、近傍に照度センサーを備える。
【００１５】
図２は、本実施の形態の携帯電話機の処理回路のブロック構成を示す図である。アンテナ１、送受信部２、制御部３、キー入力部等の操作部４、記憶部５、照度センサー部６、液晶表示装置（ＬＣＤ）からなるディスプレイ（「ＬＣＤ」という。）７及び時計部８から構成される。また、前記ＬＣＤ７は、表示パネル７１、表示パネル７１の表示を駆動するＬＣＤ表示駆動部７２及び表示パネル７１のバックライトを駆動するバックライト駆動部７３を備え、前記制御部３は閾値設定回路３１、表示制御回路３２を備える。
【００１６】
本実施の形態の携帯電話機の各部の機能について説明する。
アンテナ１及び送受信部２は、携帯電話機と基地局との間の音声通信、電子メール等のデータ通信及びその通信制御を行う機能を有する。記憶部５は、本実施の形態の携帯電話機の機能を実現するための所要のプログラムを格納するとともに、後述するＬＣＤ７の表示、バックライトの制御、及びオン／オフ制御のための携帯電話機の周囲の明るさに関する閾値データ等の記憶機能を有する。
【００１７】
操作部４は、例えば電話番号入力、発呼、着呼、オン／オフフック、各種メニューの選択、設定及び表示の操作等の各種機能の選択に加え、本実施の形態の特徴とするＬＣＤ７の表示のオン／オフ制御、バックライトのオン／オフ制御のための画面表示上での閾値等の選択又は入力を行うカーソルキー又はダイヤル等を有する。照度センサー６は、照度を検出し、携帯電話機の周囲の明るさに比例した電圧を出力する機能を有する。
【００１８】
ＬＣＤ７の表示パネル７１は、画素電極を制御するＴＦＴスイッチ、前記ＴＦＴスイッチ及び画素電極を制御するソース線、ゲート線を有するアクティブマトリクス基板等で構成される。同ＬＣＤ表示駆動部７２は、前記ソース線、ゲート線を駆動する駆動回路、前記駆動回路を制御するタイミングコントローラ等から構成され、電源のオン／オフ制御が可能である。同バックライト駆動部７３は、表示パネル７１の透過光を照射する光源等で構成され、ＬＣＤ表示駆動部７２とは独立した電源のオン／オフ制御が可能である。
【００１９】
制御部３は、携帯電話機の開閉状態の検出、携帯電話機の何れかの機能の起動状態での操作部４の操作を検出し、その検出結果により各種の機能を制御する機能、例えば、表示パネル７１の表示のオン／オフ機能、バックライトのオン／オフ機能等、通常モード／省電力モード等の切り換え機能、各ブロック間のデータの転送機能、例えば操作部４から入力された閾値の設定データ値を記憶部５への転送する機能等、各種の機能を有する。
【００２０】
制御部３は閾値設定回路３１を備え、前記閾値設定回路３１はＬＣＤ７上に閾値の設定画面を表示させる機能と、前記表示状態で操作部４からの入力により、照度センサー６の出力電圧と比較する基準電圧としての閾値を選択又は設定することを可能とし、設定した閾値データを記憶部５に格納する機能を有する。
【００２１】
また、制御部３は表示制御回路３２を備え、前記表示制御回路３２は照度センサー６の出力電圧と、記憶部５に記憶されている閾値とを入力し、前記閾値より前記出力電圧が大きい（明るい）ときにＬＣＤ７のＬＣＤ表示駆動部の電源をオン状態に制御し、ＬＣＤ表示をオン状態とし、また、逆に前記閾値より前記出力電圧が小さい（暗い）ときにＬＣＤ７のＬＣＤ表示駆動部の電源をオフ状態に制御し、ＬＣＤ表示をオフ状態とする機能を有する。また、バックライト駆動部７３の電源のオン／オフ機能をも有する。
【００２２】
時計部８は、携帯電話機の動作処理サイクルを規定するタイミングをとる機能を有するとともに、ＬＣＤ７のＬＣＤ表示駆動部７２又はバックライト駆動部７３の電源について、オン／オフ制御の切り換えに一定の時間遅れを伴わせるタイマ手段として、例えばオン状態から一定時間後にオフ状態とする機能を有する。
【００２３】
図３は、使用者によるＬＣＤの表示のオン／オフ制御の閾値の設定画面を示す図である。携帯電話機の閾値のデフォルト値に対応する指標「０」に対応する電圧レベルに対し、操作部４のカーソルキー等の上ボタン、下ボタンの押下により、閾値の増減分を表す指標「＋２」〜「−２」の間で調整可能である。前記操作により、矢印を上げて感度を「＋２」側に移動させて設定した場合、ＬＣＤ７は、ある程度明るい場所でもオフ状態となる。また、矢印を下げて感度を「−２」側に設定した場合、ＬＣＤ７は、ある程度暗い場所でもオフ状態となる。
【００２４】
次に、第１の実施の形態の動作について説明する。
図４は、本実施の形態の動作のフローチャートを示す図である。前記処理フローは、スタート（ＳＴＡＲＴ）からリターン（ＲＥＴ）までの処理は所定の短時間に繰り返し実行され、ＬＣＤ表示の制御を行うものであるが、後述する特定の条件が生じた場合（イベントの発生時）等には前記処理フローは停止する。
【００２５】
携帯電話機の通常の待機状態では、図１に示す制御部３の表示制御回路３２は、照度センサー部６で検出出力する照度に比例する電圧値と、記憶部５から読み出した閾値とを比較し（ｓ１）、比較結果、照度センサー部６の出力電圧の方が前記閾値よりも大きければ、ＬＣＤ７に対しＬＣＤ表示駆動部７２の電源をオンにする命令を出力し、ＬＣＤの表示をオン状態とする（ｓ２）。また、ステップｓ１での比較結果、照度センサー部６の出力電圧の方が前記閾値よりも低ければ、ＬＣＤ７に対しＬＣＤ表示駆動部７２の電源をオフにする命令を出力し、ＬＣＤの表示をオフ状態とする（ｓ３）。
【００２６】
以上の処理動作は制御部３により時計部８の時間情報に基づいて、前記所定の短時間が経つ毎に実行され、ステップｓ２、ｓ３のオン／オフ状態は更新され表示の制御が行われる。
【００２７】
図４に示す処理サイクルは、携帯電話機側における何らかのイベントの発生により解除（停止）される。前記イベントには、携帯電話機における何らかのボタン押下等の入力操作、着信、あるいは電池の消耗による電圧低下等である。つまり表示制御回路３２はＬＣＤ７の表示のオン／オフ状態について制御可能である。
【００２８】
以上により本実施の形態では、携帯電話機本体をバックやポケットに収納したり、暗い部屋等に置いた場合、また夜間等において、ＬＣＤ表示駆動部の電源が確実にオフに制御されるから無駄な表示が排除される。また、照度センサー６は、スピーカ４の近傍に設置されることにより、携帯電話機の通話中の不要な表示も排除可能である。
【００２９】
また、携帯電話機の使用環境、使用形態等に応じて使用者がみずからＬＣＤ表示駆動部の電源のオン／オフの閾値を制御可能であるから、使用者に適したＬＣＤ表示のオン／オフ制御を可能とする。
（第２の実施の形態）
図５は、筺体が折り畳み構造でなる携帯電話機に適用した実施の形態を示す図である。本実施の形態は、図５（ａ）に示すように携帯電話機を折り畳んだ状態（閉状態）でも、外表面に設置したＬＣＤに時計表示等を行う２次的ディスプレイを有する例である。折り畳んだ携帯電話機の筺体の外周面（筺体のリア側）に照度センサー９を配置している。通常、折り畳み構造を有する携帯電話機は、不使用には閉状態でポケットやバッグ等に収納することから、図５（ｂ）に示すように、閉状態でＬＣＤ表示駆動部のオン／オフ制御を行うように構成することができる。
【００３０】
本実施の形態の動作は、図５（ｃ）に示すフローチャートのように、携帯電話機を開いた状態（開状態）では動作せず、閉状態（ｓ１１）にすると動作する。制御部３の表示制御回路３１は、照度センサー部９で検出した照度に比例する電圧値と、記憶部５から読み出した閾値とを比較し、比較結果が照度センサー部９の出力電圧の方が前記閾値よりも大きければ（ｓ１２）、ＬＣＤ表示駆動部の電源をオンとし、ＬＣＤの表示をオン状態とする（ｓ１３）。また、逆に照度センサー部９の出力電圧の方が前記閾値よりも低ければ、ＬＣＤ表示駆動部の電源をオフとし、ＬＣＤの表示をオフ状態とする（ｓ１４）。
【００３１】
本実施の形態において、携帯電話機の閉状態後、一定の時間毎に２次的ディスプレイ１０の表示のオン、オフの制御を行うように構成することが可能である。本実施の形態においても、携帯電話機で何らかのイベントが起きた場合（開状態にした場合の外に、ボタン押下や着信時等）に、ループを抜け出し携帯電話機はそれぞれのイベントに対応した動作をとるように構成する。なお、本実施の形態で図４に示すような２次的ディスプレイのオン／オフ制御を携帯電話機の開状態又は閉状態に拘わらず行うように構成することができることは云うまでもない。（第３の実施の形態）
図６は、本発明の第３の実施の形態を示す図である。第２の実施の形態の折り畳み構造でなる携帯電話機の筺体のフロント側にも第１の実施の形態と同様の照度センサー６を設けたものである。
【００３２】
本実施の形態では携帯電話機の筺体のフロント側の照度センサー６を第１の照度センサーとし、閉状態の外周面の照度センサー９を第２の照度センサーとし、第１及び第２の照度センサーの出力電圧に基づいて、それぞれフロント側のＬＣＤ及びリア側（閉状態の外周面）の２次的ＬＣＤのＬＣＤ表示駆動部の電源をオン／オフ制御する。本実施の形態では、第１及び第２の照度センサーの出力電圧の比較基準となるそれぞれ第１及び第２の閾値データを使用者が図３に示すように設定可能とし、記憶部５に記憶することにより、ＬＣＤ表示駆動部の電源をオン／オフ制御の境界の設定を可能とする。
【００３３】
本実施の形態では、制御部３に第１及び第２の表示制御回路を設け、第１及び第２の照度センサーの出力電圧と前記第１及び第２の閾値との比較動作を行わせ、それぞれ図４及び図５（ｃ）に示す動作のフローチャートと同様の処理を実行する。
（第４の実施の形態）
以上の実施の形態では、ＬＣＤの表示制御をＬＣＤ表示駆動部のオン／オフ制御についてのみ説明したが、これにバックライト駆動部の電源のオン／オフ制御をも組み合わせることが可能である。
【００３４】
図７は、以上の実施の形態にバックライト駆動部の制御をも加えた第４の実施の形態を示すフローチャートである。本フローチャートの動作も所定の短時間に繰り返される。
最初に、発信、着信等のイベントの発生の有無を調べ（ｓ２１）、イベントの発生がなければ、照度センサーの出力電圧と閾値との比較を行い（ｓ２２）、出力電圧が閾値以上の場合（閾値以上に相当する明るさを検出した場合）、ＬＣＤ表示駆動部の電源をオン状態とし（ｓ２６）、時間Ｔ２のタイマをスタートし（ｓ２７）、操作部６の入力操作を調べる。時間Ｔ２内で操作が無ければリターンし（ｓ３０）、時間Ｔ２内で何らかの入力操作があれば（ｓ２８）、バックライト駆動部の電源をオン状態とし（ｓ２９）、ステップｓ２８で入力操作が無くタイマが終了すると（ｓ３０）、バックライト駆動部の電源をオフ状態とし（ｓ３１）、リターンする。
【００３５】
また、ステップ２１で、着信、操作部の入力操作（発信操作等）、筺体の開閉等のイベントを検出すると、ステップｓ２６にスキップする。更に、ステップｓ２２で、出力電圧が閾値未満の場合（閾値未満に相当する明るさを検出した場合）、時間Ｔ１のタイマをスタートし（ｓ２３）、出力電圧が閾値未満の時間Ｔ１内では、処理をリターンし、タイマが終了すると（ｓ２４）、ＬＣＤ表示駆動部の電源をオフ状態とし（ｓ２５）、リターンする。
【００３６】
以上により、送信操作及び着信等のイベントが無い状態では、携帯電話機は周囲が明るい場合にＬＣＤ表示をオン状態とし、オン状態から一定期間（Ｔ２）内における操作部の入力操作等の有り又は無しにより、それぞれバックライトの点灯及び消灯を行う。また、送信操作及び着信等のイベントがあれば、携帯電話機は周囲の明暗に拘わらずＬＣＤ表示をオン状態とし、オン状態から一定期間（Ｔ２）内における操作部の入力操作等の有り又は無し（例えば、送信操作、着信操作の継続の有無）により、それぞれバックライトの点灯及び消灯を行う。また、送信操作及び着信等のイベントが無い状態では、携帯電話機は周囲が暗い場合に一定期間（Ｔ１）までＬＣＤ表示をオン状態とするが、一定期間（Ｔ１）を経過すると、ＬＣＤ表示をオフ状態とする。図７に示す動作フローは、携帯電話機のフロント側とリア側で同様に行われるように構成することが可能であり、更に、リア側は、筺体の閉状態でのみ行われるように構成することが可能である。
【００３７】
このような動作により、携帯電話機をバック等に収納した場合に、ＬＣＤ表示はオフ状態になり、使用するためにバック等から取り出すとＬＣＤ表示はオン状態となる。また、携帯電話機の周囲が暗い状態から明るい状態への切り替わり時のＬＣＤ表示のオン状態からオフ状態への切り替わりは一定時間（Ｔ１）後に行われる。送信操作、着信時等にＬＣＤ表示がオン状態となり、送信、着信操作時にはバックライトがオン状態になり、バックライトのオン状態からオフ状態への切り替わりも一定時間（Ｔ２）後に行われる。
【００３８】
【発明の効果】
本発明によれば、バックに収納している状態のように周囲の暗い状態ではＬＣＤの表示自体をオフに制御することを可能としているから、一層の消費電流を抑制可能であり、携帯端末装置の使用可能時間を延長することが可能である。特に、照度センサーの使用により使用者の手を煩わせることなく自動的にＬＣＤの表示のオン／オフ制御を可能とする。更に、ＬＣＤの表示のオン／オフ制御の閾値を使用者により変更可能であり、使用環境に合わせた設定が可能になる。
【００３９】
また、本発明のオン／オフ制御の対象とするＬＣＤを携帯端末装置のフロント側、リア側に設け、それぞれの側に照度センサーを設けて、リア側のＬＣＤは携帯端末装置の閉状態でのみオン／オフ制御を行う。それぞれのＬＣＤの制御を異なるように構成することができる。フロント側の照度センサーを受話用のスピーカの近傍に配置することにより、通話中もＬＣＤの表示をオフにすることができる。
【００４０】
【図面の簡単な説明】
【図１】本発明の第１の実施の形態の外観を示す図である。
【図２】第１の実施の形態の携帯電話機の処理回路のブロック構成を示す図である。
【図３】使用者によるＬＣＤの表示のオン／オフ制御の閾値の設定画面を示す図である。
【図４】第１の実施の形態の動作のフローチャートを示す図である。
【図５】第２の実施の形態を示す図である。
【図６】第３の実施の形態を示す図である。
【図７】第４の実施の形態を示すフローチャートである。
【符号の説明】
２　送受信部
３　制御部
３１　閾値設定回路
３２　表示制御回路
４　操作部
５　記憶部
６、９　照度センサー
１０　２次的ディスプレイ
７　液晶表示装置（ＬＣＤ）
８　時計部
７１　表示パネル
７２　ＬＣＤ表示駆動部
７３　バックライト駆動部
【図１】
2004140472.tif 000003
【図２】
2004140472.tif 000004
【図３】
2004140472.tif 000005
【図４】
2004140472.tif 000006
【図５】
2004140472.tif 000007
【図６】
2004140472.tif 000008
【図７】
2004140472.tif 000009